(57)【要約】【課題】  実際の使用時における枕それ自体の高さを直接測定でき、測定位置がずれたりせず正確な高さを把握でき、測定作業が非常に簡単な枕の高さ測定装置を提供することを技術的課題とする。【解決手段】  枕１を設置する基台２と、基台２上に設ける枠体３と、基台２と平行な枠体４に固定していて前面にデジタルインジケータ５を設けた受け部６と、この受け部６に上下摺動自在に設けた柱７と、この柱７の下方に人間の頭の後頭部及び頚椎に相当する湾曲部Ｃを形成した重り８とを設けた。【選択図】図４
0003127289.tif 000002
【実用新案登録請求の範囲】
【請求項１】
枕を設置する基台と、基台上に設ける枠体と、基台と平行な枠体に固定していて前面にデジタルインジケータを設けた受け部と、この受け部に上下摺動自在に設けた柱と、この柱の下方に人間の頭の後頭部及び頚椎に相当する湾曲部を形成した重りとからなる枕の高さ測定装置。
【考案の詳細な説明】
【考案の詳細な説明】
【技術分野】
【０００１】  本考案は、実際の使用時における枕の高さを直接測定する枕の高さ測定装置に関するものである。
【背景技術】
【０００２】  実公平７−４９３６４号公報には、先端部が後頭部及び首の後部に当接する複数の計測体と、この計測体を移動可能に保持する計測体保持部と、この計測体保持部の一端部に設けられ背中に当接される背中当接部とを有してなることを特徴とする枕の高さ測定器が示されている。【０００３】  また、実用新案登録第３０３８３３５号公報には板状のプレートと、このプレートの内部にプレート体の長手方向に沿って形成されたバー挿入部と、このバー挿入部にプレート体の長手方向に沿って移動可能に配設されたバー保持部と、前記バー挿入部に回転可能に挿入された可動バーと、この可動バーの長手方向に沿って形成された目盛と、前記可動バーの長手方向に沿って形成されると共に前記バー保持部材が挿入する長孔とを有してなることを特徴とする携帯用枕の高さ測定スケールが示されている。【０００４】  また、特開２０００−２９６０４４号公報には、個々の人それぞれの人体の解剖学的裏付けによる、人体に最も適応した理想的な高さの枕の基準となる計測値を簡単にそして正確に導き出すための簡易な測定器とその計測方法であって、身長１９０ｃｍまで計測可能な基準板と、０．５ｃｍ、１ｃｍ、２ｃｍ、３ｃｍ、４ｃｍの５種類の厚さの計測版を用いて、計測板を後頭骨後面の頂点と基準板の垂直面の間に挟み、頚部の位置が前頭面に対して前屈もしない位置を、被検者自身の自覚に任せ申告により導き出された計測値を表示するようにした人体に適応した枕の高さ測定方法と測定器が示されている。【０００５】  さらに、特開２００４−２０９０９９号公報には、使用者が横向き姿勢で頭部をマクラの上に載置して床面上に寝た状態において、この使用者の体軸中心と床面とが、ほぼ平行になるように前記マクラの高さを調整することを特徴とするマクラの調整方法が示されている。【０００６】  しかしながら、上記それぞれの発明や考案は、実際の使用時における枕の高さを直接測定するものでもなく、また測定時に体が動いて測定位置がずれたりして正確な高さを把握できず、さらに測定作業が極めて面倒である。
【考案が解決しようとする課題】
【０００７】  そこで、本考案は実際の使用時における枕それ自体の高さを直接測定でき、測定位置がずれたりせず正確な高さを把握でき、測定作業が非常に簡単な枕の高さ測定装置を提供することにある。即ち、枕を実際の使用する場合、枕内部構造や枕内部の充填材の種類によって弾性や硬さ等が相違するため、いくら個人個人の頚椎の高さを測定しても実際に使用した時の枕の高さと相違するからである。
【課題を解決する手段】
【０００８】  請求項１の考案は、枕を設置する基台と、基台上に設ける枠体と、基台と平行な枠体に固定していて前面にデジタルインジケータを設けた受け部と、この受け部に上下摺動自在に設けた柱と、この柱の下方に人間の頭の後頭部及び頚椎に相当する湾曲部を形成した重りとからなる枕の高さ測定装置を提供するものである。
【０００９】  この考案においては、実際の使用時における枕それ自体の高さを直接測定でき、測定位置がずれたりせず正確な高さを把握でき、測定作業が非常に簡単な枕の高さ測定装置を提供することが出来る。
【考案を実施するための最良の形態】
【００１０】  以下に本考案の一実施形態を図面に基づき説明する。図１乃至図４に示す如く、この枕の高さ測定装置は枕１を設置する基台２と、基台２上に設ける枠体３と、基台２と平行な枠体４に固定していて前面にデジタルインジケータ５を設けた受け部６と、この受け部６に上下摺動自在に設けた柱７と、この柱７の下方に人間の頭の後頭部及び頚椎に相当する湾曲部Ｃを形成した重り８とからなる。【００１１】  前記柱７は、図５及び図６に示す如く、枠体４に取付板９を介して固定する受け部６内に上下摺動自在設けている。また、柱７は後方に凸型レール１０を固定する一方、このレール１０を受ける凹型レール受け部１１、１１を前記取付板９に固定している。【００１２】  さらに、前記柱７の前方には摺動帯１２が上下で固定され、この摺動帯１２はデジタルインジケータ５に開設する摺動孔１３内に挿通されている。そして、柱７は前方においてもデジタルインジケータ５の摺動孔１３内に摺動帯１２を介して上下摺動することにより上下摺動自在設けられている。尚、１４はデジタルインジケータ５の表示窓である。【００１３】  前記重り８は幼児、子供、大人の女性、大人の男性等のそれぞれの異なる重さの重り８に交換できる。重りの重さは約３〜７ｋｇである。【００１４】  さらに、図３に示すように、重り８の下方は後頭部Ｘから頚椎Ｙの湾曲部後端Ｚからなり、基台２に降ろしたときに後頭部Ｘと湾曲部後端Ｚは基台２上面の同じ高さになるようにしている。これにより重り８を降下させて基台２上面に衝突させたときの衝撃で生ずる重り８と柱７との連結部１５のゆがみを防止する。【００１５】  このようにして、図４に示す如く、重り８を枕１上に下降させて止まったときの、頚椎Ｙの高さｈをデジタルインジケータ５に表示する。高さｈが目標値より高いときは枕１の内部の充填材を減らし、目標値より低いときは枕１の内部の充填材を増やすようにして実際の使用時における枕の高さを調整する。尚、重り８の上下動は柱７を手動でもって上下動させている。
【考案の効果】
【００１６】  上記の如く本考案においては、実際の使用時における枕それ自体の高さを直接測定でき、測定位置がずれたりせず正確な高さを把握でき、測定作業が非常に簡単な枕の高さ測定装置を提供することが出来る。
【図面の簡単な説明】
【００１７】
【図１】本考案の一実施形態を示す枕の高さ測定装置の正面図
【図２】図１のＩ−Ｉ視図
【図３】重りを下降させた状態を示す側面図
【図４】枕の測定状態を示す側面図
【図５】図３のＩＩ−ＩＩ線断面図
【図６】図５の正面図
【符号の説明】
１      枕
２      基台
３      枠体
４      基台と平行な枠体
５      デジタルインジケータ
６      受け部
７      柱
８      重り
【図１】
0003127289.tif 000003
【図２】
0003127289.tif 000004
【図３】
0003127289.tif 000005
【図４】
0003127289.tif 000006
【図５】
0003127289.tif 000007
【図６】
0003127289.tif 000008